(57)【要約】【課題】装置にスポンサーを付けるというアイデアを実施する上で好適な新たな技術を提供する。【解決手段】本開示は、ユーザが乗って使用する装置１であって前記装置１に乗っている前記ユーザへの情報提示機能を有する前記装置１を、管理する情報処理装置１００であって、複数の前記装置１，１との間で通信可能な通信部１５０と、複数の前記装置１，１それぞれについて、スポンサーが付いている第１装置とスポンサーが付いていない第２装置とを識別するための識別データ１３１ｃを記憶する記憶装置１３０と、前記識別データ１３１ｃに基づいて前記第１装置であると識別された対象装置へ、前記対象装置においてユーザ提示される広告データを、前記通信部１５０から送信する処理を実行するプロセッサ１１０と、を備える情報処理装置に関する。【選択図】図１
2020017250.tif 000002
【特許請求の範囲】
【請求項１】
ユーザが乗って使用する装置であって前記装置に乗っている前記ユーザへの情報提示機能を有する前記装置を、管理する情報処理装置であって、
複数の前記装置との間で通信可能な通信部と、
複数の前記装置それぞれについて、スポンサーが付いている第１装置とスポンサーが付いていない第２装置とを識別するための識別データを記憶する記憶装置と、
前記識別データに基づいて前記第１装置であると識別された対象装置へ、前記対象装置においてユーザ提示される広告データを、前記通信部から送信する処理を実行するプロセッサと、
を備える情報処理装置。
【請求項２】
前記記憶装置は、複数の前記第１装置それぞれに対応付けられたスポンサーデータを記憶しており、
前記スポンサーデータは、複数のスポンサーグループのうちのいずれのスポンサーグループであるかを示すデータであり、前記スポンサーグループは、１又は複数のスポンサーからなるグループであり、
前記スポンサーデータは、前記対象装置においてユーザ提示される前記広告データを決定するために用いられる
請求項１に記載の情報処理装置。
【請求項３】
前記記憶装置は、複数のスポンサーグループを示すスポンサーグループデータベースを記憶しており、前記スポンサーグループは、１又は複数のスポンサーからなるグループであり、
前記プロセッサは、複数のスポンサーグループの中から前記対象装置に応じたスポンサーグループを決定し、決定されたスポンサーグループに基づいて、前記対象装置においてユーザ提示される広告データを決定する処理を実行する
請求項１に記載の情報処理装置。
【請求項４】
前記広告データを前記通信部から送信する前記処理は、前記広告データを前記対象装置へ定期配信する処理を含む
請求項１から３のいずれか１項に記載の情報処理装置。
【請求項５】
前記広告データを前記通信部から送信する前記処理は、前記対象装置からの前記広告データの送信要求に応じて、前記広告データを送信する処理を含む
請求項１から４のいずれか１項に記載の情報処理装置。
【請求項６】
前記記憶装置は、複数の前記第１装置それぞれに対応付けられた広告期間データを記憶しており、前記広告期間データは、前記第１装置において広告が提示される広告期間を示し、
前記広告期間データは、前記広告データを送信すべき対象装置を前記プロセッサが識別するために用いられる
請求項１から５のいずれか１項に記載の情報処理装置。
【請求項７】
前記第１装置は、スポンサーが付いていることにより前記第２装置よりも安価に販売された装置である
請求項１から６のいずれか１項に記載の情報処理装置。
【請求項８】
前記広告データは、質問に対する前記ユーザの回答に基づいて決定された商品の内容を含む
請求項１から７のいずれか１項に記載の情報処理装置。
【請求項９】
前記広告データは、前記装置のユーザ情報に基づいて決定された商品の内容を含む
請求項１から８のいずれか１項に記載の情報処理装置。
【請求項１０】
前記広告データは、オンラインショッピングのための情報を含む
請求項１から９のいずれか１項に記載の情報処理装置。
【請求項１１】
ユーザが乗って使用する装置であるとともに、スポンサーが付いていることが、ネットワークを介して前記装置と通信可能な情報処理装置によって管理される装置であって、
前記ネットワークを介して、前記スポンサーの広告データを受信する処理と、
前記広告データを前記装置に乗っているユーザに対して提示する処理と、
を実行するプロセッサを備えている
装置。
【請求項１２】
前記広告データを受信する前記処理は、複数の前記広告データを受信することを含み、
前記ユーザに対して提示される前記広告データは、複数の前記広告データの中から選択された広告データである
請求項１１に記載の装置。
【請求項１３】
前記広告データは、前記ユーザが、前記装置における所定の動作を要求する操作をした場合に、前記ユーザに対して提示される
請求項１１又は１２に記載の装置。
【請求項１４】
前記広告データは、前記装置における所定の動作が終了する時点付近において、前記ユーザに対して提示される
請求項１１から１３のいずれか１項に記載の装置。
【請求項１５】
前記広告データは、前記装置における所定の動作終了の確認操作を、前記ユーザから前記装置が受け付けた場合に、前記ユーザに対して提示される
請求項１１から１４のいずれか１項に記載の装置。
【請求項１６】
前記広告データの少なくとも一部は、前記装置における所定の動作中において、前記ユーザに対して提示される
請求項１１から１５のいずれか１項に記載の装置。
【請求項１７】
前記広告データの一部は、前記装置における所定の動作中において、前記ユーザに対して提示され、前記広告データの他の一部は、前記所定の動作中でないときに、前記ユーザに対して提示される
請求項１１から１６のいずれか１項に記載の装置。
【請求項１８】
背もたれ部と、
前記背もたれ部を倒すリクライニング機構と、を備え、
前記プロセッサは、前記装置における所定の動作の開始前又は前記所定の動作中において、前記背もたれ部が倒れた状態にし、前記所定の動作終了時に前記背もたれ部を起こす処理を実行するよう構成され、
前記広告データの少なくとも一部は、前記背もたれ部が起きる動作中に、前記ユーザに対して提示される
請求項１１から１７のいずれか１項に記載の装置。
【請求項１９】
前記装置は、マッサージ装置である
請求項１１から１８のいずれか１項に記載の装置。
【発明の詳細な説明】
【技術分野】
【０００１】
本開示は、情報処理装置及びユーザが乗って使用する装置に関する。
【背景技術】
【０００２】
ユーザが乗って使用する装置としては、例えば、チェア型マッサージ装置がある。マッサージ装置は、例えば、特許文献１に開示されている。
【先行技術文献】
【特許文献】
【０００３】
【特許文献１】特開２０１８−７５２０１号公報
【発明の概要】
【０００４】
チェア型のマッサージ装置のようにユーザが乗って使用する装置は、比較的大型であるため、高価格であることが多い。高価格であると、消費者は購入をためらう場合もあり、装置の普及が妨げられる。
【０００５】
このような状況において、本発明者は、装置の購入費用の一部又は全部を負担するスポンサーを付ける、という着想を得た。スポンサーが、装置の購入費用を負担することで、消費者は、少ない負担で装置を取得することができる。そして、スポンサーは、費用負担により、装置の購入者に対して広告を提示する機会が得られる。
【０００６】
ここで、特許文献１は、マッサージ装置において、広告を表示することを開示している。しかし、特許文献１は、装置にスポンサーを付けるというアイデアを開示しておらず、したがって、装置にスポンサーが付いていることを管理する情報処理装置を開示していない。しかも、特許文献１は、スポンサーが付いていることが管理される装置も開示していない。
【０００７】
よって、装置にスポンサーを付けるというアイデアを実施する上で好適な新たな技術が望まれる。
【０００８】
本開示の一側面は、情報処理装置である。情報処理装置は、ユーザが乗って使用する装置を管理する。前記装置は、前記装置に乗っている前記ユーザへの情報提示機能を有する。情報処理装置は、複数の前記装置との間で通信可能な通信部と、複数の前記装置それぞれについて、スポンサーが付いている第１装置とスポンサーが付いていない第２装置とを識別するための識別データを記憶する記憶装置と、前記識別データに基づいて前記第１装置であると識別された対象装置へ、前記対象装置においてユーザ提示される広告データ を、前記通信部から送信する処理を実行するプロセッサと、を備える。
【０００９】
本開示の他の側面は、ユーザが乗って使用する装置である。前記装置は、スポンサーが付いていることが、ネットワークを介して前記装置と通信可能な情報処理装置によって管理される。ユーザが乗って使用する前記装置は、前記ネットワークを介して、前記スポンサーの広告データを受信する処理と、前記広告データを前記装置に乗っているユーザに対して提示する処理と、を実行するプロセッサを備えている。
【００１０】
更なる詳細は、後述の実施形態として説明される。
【図面の簡単な説明】
【００１１】
【図１】図１は、管理サーバ及びマッサージ装置を有するシステム構成図である。
【図２】図２Ａは、装置管理データベースを示す図である。図２Ｂは、スポンサーグループデータベースを示す図である。
【図３】図３Ａは、スポンサーデータベースを示す図である。図３Ｂは、ユーザデータベースを示す図である。
【図４】図４は、マッサージ装置の斜視図である。
【図５】図５は、マッサージ装置のリクライニングを説明する側面図である。
【図６】図６は、マッサージ装置のコントローラの構成図である。
【図７】図７は、モード判定処理のフローチャートである。
【図８】図８は、広告データ定期配信処理のフローチャートである。
【図９】図９は、広告要求処理と個別配信処理のフローチャートである。
【図１０】図１０は、広告無しモードのマッサージ装置における動作処理のフローチャートである。
【図１１】図１１は、広告表示モードのマッサージ装置における動作処理のフローチャートである。
【図１２】図１２は、広告表示モードのマッサージ装置における動作処理のフローチャートである。
【図１３】図１３は、マッサージ装置での広告の表示例である。
【図１４】図１４は、スポンサーデータベースに含まれる広告データの他の例を示す図である。
【発明を実施するための形態】
【００１２】
＜１．情報処理装置及びユーザが乗って使用する装置の概要＞
【００１３】
（１）実施形態に係る情報処理装置は、ユーザが乗って使用する装置を管理する。ここで「乗って」とは、ユーザが、装置上又は装置の内部に身を置くことである。「乗って」という用語は、ユーザが着座することで乗っていること、ユーザが横臥状態になることで乗っていること、及びユーザが立って乗っていることを含む概念である。実施形態において、装置に乗っているユーザに対して広告が提示されるが、装置に乗っているユーザは、装置から離れることは少ないため、広告効果が高い。
【００１４】
ユーザが乗って使用する装置は、例えば、マッサージ装置、走行器具などの運動具、及び車両からなる群から選択されるいずれか一つの装置である。マッサージ装置は、チェア型であってもよいし、ベッド型であってもよいし、マット型であってもよい。
【００１５】
ユーザが乗って使用する装置は、前記装置に乗っているユーザへの情報提示機能を有する。情報提示機能は、例えば、ディスプレイなどの画面表示器による画面提示機能であってもよいし、スピーカーなどによる音声提示機能であってもよい。情報提示機能は、例えば、マッサージ装置が有する表示器（後述のタブレット）が担うことができる。
【００１６】
情報処理装置は、複数の前記装置との間で通信可能な通信部を備える。通信部による通信機能によって、ネットワークを介して、複数の装置を管理することができる。
【００１７】
情報処理装置は、記憶装置を備える。記憶装置は、複数の前記装置それぞれについて、スポンサーが付いている第１装置とスポンサーが付いていない第２装置とを識別するための識別データを記憶する。情報処理装置は、第１装置及び第２装置の双方を管理しつつも、識別データを参照することで、スポンサーが付いている第１装置を識別することができる。
【００１８】
情報処理装置は、プロセッサを備える。プロセッサは、前記識別データに基づいて前記第１装置であると識別された対象装置へ、前記対象装置においてユーザ提示される広告データを、前記通信部から送信する処理を実行する。情報処理装置は、第１装置及び第２装置の双方を管理しつつも、広告データを送信する必要がある対象装置を識別することができる。
【００１９】
（２）前記記憶装置は、複数の前記第１装置それぞれに対応付けられたスポンサーデータを記憶している。前記スポンサーデータは、複数のスポンサーグループのうちのいずれのスポンサーグループであるかを示すデータである。前記スポンサーグループは、１又は複数のスポンサーからなるグループである。前記スポンサーデータは、前記対象装置においてユーザ提示される前記広告データを決定するために用いられる。この場合、ユーザに提示される広告データを、スポンサーデータによって容易に決定することができる。
【００２０】
（３）前記記憶装置は、複数のスポンサーグループを示すスポンサーグループデータベースを記憶している。前記スポンサーグループは、１又は複数のスポンサーからなるグループである。前記プロセッサは、複数のスポンサーグループの中から前記対象装置に応じたスポンサーグループを決定し、決定されたスポンサーグループに基づいて、前記対象装置においてユーザ提示される広告データを決定する処理を実行することができる。
【００２１】
（４）前記広告データを前記通信部から送信する前記処理は、前記広告データを前記対象装置へ定期配信する処理を含むことができる。
【００２２】
（５）前記広告データを前記通信部から送信する前記処理は、前記対象装置からの前記広告データの送信要求に応じて、前記広告データを送信する処理を含むことができる。
【００２３】
（６）前記記憶装置は、複数の前記第１装置それぞれに対応付けられた広告期間データを記憶している。前記広告期間データは、前記第１装置において広告が提示される広告期間を示す。前記広告期間データは、前記広告データを送信すべき対象装置を前記プロセッサが識別するために用いられる。
【００２４】
（７）前記第１装置は、スポンサーが付いていることにより前記第２装置よりも安価に販売された装置であるのが好ましい。
【００２５】
（８）広告データは、質問に対するユーザの回答に基づいて決定された商品の内容を含むことが好ましい。質問は、例えば、ユーザに対するアンケートや問診などであって、例えば、体調などの短い間隔で変化しやすいユーザの状態に関するものである。これにより、短い間隔で変化しやすいユーザの状態に影響する商品であっても、適切な商品に関する広告をユーザ提示できる。商品は、例えば、漢方薬やサプリメントなどである。
【００２６】
（９）広告データは、装置のユーザ情報に基づいて決定された商品の内容を含むことが好ましい。装置のユーザ情報は、例えば、ユーザの年齢、性別、健康状態（身長、体重、血圧など）などのユーザ特性を含む。これにより、よりユーザに適した商品の広告を表示することができる。
【００２７】
（１０）前記広告データは、単なる広告を含むデータでもよいが、オンラインショッピングのための情報を含むのが好ましい。この場合、広告をみたユーザは、その場で、商品又はサービスをオンラインで購入することができる。オンラインショッピングのための情報は、例えば、商品又はサービスの購入画面の表示用の情報、又は購入Ｗｅｂサイトへ遷移するためのＵＲＬを示す情報である。
【００２８】
（１１）実施形態において、ユーザが乗って使用する装置は、スポンサーが付いていることが、ネットワークを介して前記装置と通信可能な情報処理装置によって管理される装置である。ユーザが乗って使用する装置は、プロセッサを備えている。プロセッサは、前記ネットワークを介して、前記スポンサーの広告データを受信する処理と、前記広告データを前記装置に乗っているユーザに対して提示する処理と、を実行する。
【００２９】
（１２）前記広告データを受信する前記処理は、複数の前記広告データを受信することを含むのが好ましい。前記ユーザに対して提示される前記広告データは、複数の前記広告データの中から選択された広告データであってもよい。
【００３０】
（１３）前記広告データは、前記ユーザが、前記装置における所定の動作を要求する操作をした場合に、前記ユーザに対して提示されるのが好ましい。所定の動作は、例えば、マッサージ装置におけるマッサージコースの動作又はその他のマッサージ動作である。所定の動作を要求する操作は、例えば、マッサージ装置におけるマッサージコースの選択操作又はその他のマッサージ動作を開始させる操作である。所定の動作は、運動具におけるユーザの運動のための動作であってもよい。所定の動作は、自動車における走行動作であってもよい。
【００３１】
（１４）前記広告データは、前記装置における所定の動作が終了する時点付近において、前記ユーザに対して提示されるのが好ましい。
【００３２】
（１５）前記広告データは、前記装置における所定の動作終了の確認操作を、前記ユーザから前記装置が受け付けた場合に、前記ユーザに対して提示されるのが好ましい。
【００３３】
（１６）前記広告データの少なくとも一部は、前記装置における所定の動作中において、前記ユーザに対して提示されるのが好ましい。
【００３４】
（１７）前記広告データの一部は、前記装置における所定の動作中において、前記ユーザに対して提示され、前記広告データの他の一部は、前記所定の動作中でないときに、前記ユーザに対して提示されるのが好ましい。
【００３５】
（１８）ユーザが乗って使用する装置は、背もたれ部と、前記背もたれ部を倒すリクライニング機構と、を備えることができる。前記プロセッサは、前記装置における所定の動作の開始前又は前記所定の動作中において、前記背もたれ部が倒れた状態にし、前記所定の動作終了時に前記背もたれ部を起こす処理を実行するよう構成されていてもよい。前記広告データの少なくとも一部は、前記背もたれ部が起きる動作中に、前記ユーザに対して提示されるのが好ましい。この場合、背もたれ部が起きる動作中の時間を、広告提示に有効活用することができる。なお、背もたれ部の起きる動作の開始前に広告データの提示が開始されるのが好ましい。
【００３６】
（１９）ユーザが乗って使用する前記装置は、マッサージ装置であるのが好ましい。
【００３７】
＜２．情報処理装置及びユーザが乗って使用する装置の例＞
【００３８】
図１は、複数のマッサージ装置１，１と、複数のマッサージ装置１，１を管理する管理サーバ（情報処理装置）１００と、を示している。
【００３９】
＜２．１  マッサージ装置の販売方法＞
【００４０】
マッサージ装置１，１は、メーカによって製造され、量販店などの販売店によって販売される。販売店では、マッサージ装置１，１の同一機種について、複数種類（以下では、２種類）の購入タイプが用意されている。購入者は、いずれかの購入タイプを選択することができる。
【００４１】
第１購入タイプでは、スポンサー付き価格で販売される。第２購入タイプでは、スポンサー無し価格で販売される。スポンサー無し価格は、例えば、通常の販売価格である。ここでは、スポンサー無し価格を、Ｙ円とする。スポンサー付き価格は、Ｙ円よりも安価である。ここでは、スポンサー付き価格を、Ｘ円とする。スポンサー付き価格は、例えば、スポンサー無し価格の半額である。Ｙ円とＸ円との差額（（Ｙ−Ｘ）円）は、スポンサーが負担する。したがって、販売店は、マッサージ装置を安価なＸ円で販売しても、実質的に、Ｙ円の売り上げを上げることができる。また、第１購入タイプでは、購入者は、非常に安価にマッサージ装置を購入できるため、販売台数の増加が期待される。
【００４２】
実施形態に係るマッサージ装置１，１は、分割払いで販売（割賦販売）される。割賦販売は、例えば、月賦販売である。割賦の支払い期間は、例えば、５年である。５年間の月賦払いであれば、第１購入タイプの場合の月々の支払は、（Ｘ／６０）円でよく、月々の支払負担を非常に小さくすることができる。
【００４３】
スポンサーは、購入タイプによる差額（Ｙ−Ｘ）円を負担する代わりに、自社の広告（ＣＭ）を、第１購入タイプで購入されたマッサージ装置１において表示（出力）させることができる。すなわち、第１購入タイプで購入されたマッサージ装置１の購入者は、マッサージ装置１を使用する際に、マッサージ装置１において表示される広告を視聴する必要があるものの、安価にマッサージ装置１を購入することができる。なお、広告の表示を望まない購入者は、第２購入タイプを利用すればよい。この場合、マッサージ装置１を使用する際に、広告は表示されない。なお、販売店がスポンサーを兼ねてもよい。
【００４４】
＜２．２  サーバの構成＞
【００４５】
マッサージ装置１，１は、第１購入タイプ及び第２購入タイプのいずれによって購入されたものであっても、管理サーバ１００によって管理される。管理サーバ１００は、ネットワーク４０を介して、複数のマッサージ装置１，１と通信可能である。以下では、管理サーバ１００を、単に「サーバ１００」ということがある。
【００４６】
サーバ１００は、例えば、マッサージ装置１，１のメーカによって運用される。サーバ１００は、例えば、マッサージ装置１，１において実行されるソフトウェアをアップデートする。また、サーバ１００は、マッサージ装置１，１からマッサージ装置１，１のユーザの健康状態に関する情報を取得し、ユーザの健康管理のための情報処理を実行することができる。さらに、サーバ１００は、様々な健康・医療情報を、マッサージ装置１，１へ送信し、ユーザに提示することができる。また、サーバ１００は、マッサージ装置１，１の動作を支援する処理を実行することもできる。このように、マッサージ装置１，１は、購入タイプの如何にかかわらず、サーバ１００によって管理される。
【００４７】
サーバ１００は、プロセッサ(Processor)１１０及び記憶装置(Data Storage)１３０を備えるコンピュータによって構成されている。プロセッサ１１０は、記憶装置１３０に記憶されたコンピュータプログラム１６０に基づくオペレーションを実行する集積回路である。プロセッサ１１０は、例えば、ＣＰＵ（Central Processing Unit）である。記憶装置１３０は、データを記憶するハードウェアである。記憶装置１３０は、例えば、一次記憶装置（Primary storage）及び二次記憶装置（Secondary Storage）を有する。なお、サーバ１００は、ネットワーク４０を介して、マッサージ装置１，１と通信するための通信インターフェース（通信部）１５０を有する。
【００４８】
コンピュータプログラム１６０は、複数のマッサージ装置１，１を管理するための処理をプロセッサ１１０に実行させるプログラムコードによって構成されている。コンピュータプログラム１６０は、プロセッサ１１０によって実行されることで、複数のマッサージ装置１，１を管理する管理サーバ１００として、コンピュータを機能させる。以下では、コンピュータプログラム１６０を、単に「プログラム１６０」ということがある。
【００４９】
実施形態において、プロセッサ１１０がプログラム１６０に基づいて実行する処理は、前述のマッサージ装置１，１の管理のための処理のほか、スポンサー広告のユーザ提示に関連した処理を含む。広告のユーザ提示に関連した処理は、例えば、モード判定処理１１１，定期配信処理１１３，個別配信処理１１５を含む。これらの処理１１１，１１３，１１５については後述する。
【００５０】
記憶装置１３０は、マッサージ装置１，１の管理のための装置管理データベース１３１を記憶している。図２Ａに示すように、装置管理データベース１３１は、装置ＩＤ１３１ａを有している。装置ＩＤ１３１ａは、個々のマッサージ装置１，１にユニークに付与された識別子である。装置管理データベース１３１は、装置ＩＤ１３１ａに対応付けられた機種コード１３１ｂを有している。機種コード１３１ｂは、マッサージ装置１，１の機種を示すコードである。例えば、装置ＩＤが「１１１１」，「１１１２」，「１１１３」であるマッサージ装置の機種コードは、いずれも「ＡＡＡ」であり、同一機種であることを示している。また、装置ＩＤが「２１１１」，「２１１２」であるマッサージ装置の機種コードは、「ＢＢＢ」であり、「ＡＡＡ」とは別の機種であることを示している。
【００５１】
装置管理データベース１３１は、装置ＩＤ１３１ａに対応付けられた識別データ１３１ｃを有している。識別データ１３１ｃは、装置ＩＤ１３１ａが示すマッサージ装置１，１についての、スポンサーの有無を示す。第１購入タイプで購入されたマッサージ装置１は、スポンサー有りとなり、第２購入タイプで購入されたマッサージ装置１は、スポンサー無となる。例えば、装置ＩＤ「１１１１」及び「１１１３」のマッサージ装置１は、スポンサー「有」であり、同一機種である装置ＩＤ「１１１２」のマッサージ装置１は、スポンサー「無」である。以下では、スポンサー有の装置を、第１装置といい、スポンサー無しの装置を、第２装置という。
【００５２】
装置管理データベース１３１は、装置ＩＤ１３１ａに対応付けられたスポンサーデータ１３１ｄを有している。スポンサーデータ１３１ｄは、第１装置である装置ＩＤ「１１１１」，「１１１３」，「２１１１」のマッサージ装置１に対して設定されている。スポンサーデータ１３１ｄは、第１装置のスポンサーグループＩＤ１３３ａを示す。スポンサーグループＩＤ１３３ａは、スポンサーグループの識別子である。スポンサーグループは、１又は複数のスポンサーからなるグループである。スポンサーデータ１３１ｄは、スポンサーグループではなく、スポンサー１３５ａ（図３Ａ参照）を示してもよい。スポンサーデータ１３１ｄがスポンサー１３５ａを示す場合、スポンサーデータ１３１ｄとして登録されるスポンサー１３５ａは、スポンサーグループとは無関係に、図３Ａに示す複数のスポンサー１３５ａの中から購入者又はユーザによって任意に選択されたものであってもよい。
【００５３】
図１及び図２Ｂに示すように記憶装置１３０は、複数のスポンサーグループを管理するためのスポンサーグループデータベース１３３を記憶している。スポンサーグループデータベース１３３は、スポンサーグループＩＤ１３３ａに対応付けられたスポンサー１３３ｂを有している。例えば、グループＩＤ＝Ｇ１には、スポンサーとして、Ａ社、Ｂ社、及びＣ社などが対応付けられ、グループＩＤ＝Ｇ２には、Ｅ社、Ｆ社、及びＧ社などが対応付けられ、グループＩＤ＝Ｇ３には、Ｉ社、Ｊ社、及びＫ社などが対応付けられている。
【００５４】
マッサージ装置１を第１購入タイプで購入する購入者は、購入時又は購入後に、複数のスポンサーグループの中から、１又は複数のスポンサーグループを選択する。選択されたスポンサーグループＩＤ１３３ａは、スポンサーデータ１３１ｄとして、購入したマッサージ装置１の装置ＩＤ１３１ａに対応付けて登録される。なお、スポンサーグループは、サーバ１００によって、購入者の特性（年齢、性別など）に応じて選択されてもよい。スポンサーグループは、広告のターゲットとなる者の特性によって分けられている。このため、スポンサーグループをマッサージ装置と対応付けておくことで、特定のスポンサーの広告をマッサージ装置に表示させることができる。ユーザ又はサーバ１００によって選択されたスポンサーグループに含まれるスポンサーは、ユーザ操作によって変更可能であってもよい。例えば、選択されたスポンサーグループが、グループＩＤ＝Ｇ１のグループである場合、ユーザは、Ｇ１に含まれるスポンサーであるＡ社、Ｂ社、Ｃ社のうち、Ａ社とＢ社をそのまま残し、Ｃ社を、別のＥ社に変更する操作を行うことができる。この場合、ユーザのマッサージ装置には、Ａ社、Ｂ社、Ｅ社を示すデータが、スポンサーデータ１３１ｄとして対応付けられる。
【００５５】
図１及び図３Ａに示すように、記憶装置１３０は、各スポンサーの広告データを管理するためのスポンサーデータベース１３５を記憶している。スポンサーデータベース１３５は、スポンサー１３５ａに対応付けられたれた１又は複数の広告データ１３５ｂ，１３５ｄを有している。広告データ１３５ｂ，１３５ｄは、マッサージ装置１の表示器において再生される画像（動画又は静止画）及び音声のいずれか一方であってもよいし、両方であってもよい。
【００５６】
また、各広告データ１３５ｂ、１３５ｄには、広告データの特性１３５ｃ，１３５ｅが対応付けられている。広告データの特性１３５ｃ，１３５ｅは、広告がターゲットとするユーザの特性とのマッチングに用いられる情報を有している。広告データの特性１３５ｃ，１３５ｅは、例えば、どのような年齢層をターゲットにしているかを示す情報を有する。
【００５７】
図２Ａに戻り、装置管理データベース１３１は、装置ＩＤ１３１ａに対応付けられた広告期間データ１３１ｅを有している。広告期間データ１３１ｅは，第１装置である装置ＩＤ「１１１１」，「１１１３」，「２１１１」のマッサージ装置１に対して設定されている。広告期間データ１３１ｅは、マッサージ装置１において広告データが表示される広告期間を示している。図２Ａでは、広告期間を示すため、広告期間の末日が設定されている。例えば、装置ＩＤ「１１１１」のマッサージ装置１には、広告期間の末日が、「２０２３年１０月５日」に設定されている。
【００５８】
第１装置であっても、広告が表示されるのは、広告期間データ１２１ｅが示す広告期間内である。広告期間を過ぎると、広告は表示されなくなるため、ユーザは、広告なしで、マッサージ装置１を使用できる。一旦設定された広告期間は、延長されてもよい。
【００５９】
広告期間は、例えば、スポンサーが負担した金額（Ｙ−Ｘ）円に見合った期間に設定される。広告期間は、例えば、割賦による支払期間と同一の期間として設定される。ユーザにとって、支払期間中は、安価な支払いという利益を享受している期間であるから、広告の表示があっても許容されるものと考えられる。また、支払期間が終了すれば、広告が表示されなくなるため、ユーザは、通常の第２装置と同様に使用できる。
【００６０】
広告期間は、割賦による支払期間に対応している必要はなく、例えば、リース期間に対応していてもよい。リース費用の一部又は全部をスポンサーが負担し、リース期間中は、スポンサーの広告が表示される。
【００６１】
また、広告期間は、サーバ１００からマッサージ装置１へのサービス提供の契約期間に対応していてもよい。サーバ１００からマッサージ装置１へ提供されるサービスは、例えば、ユーザの健康管理サービスである。サービスの費用の一部又は全部をスポンサーが負担し、契約期間中は、スポンサーの広告が表示される。
【００６２】
装置管理データベース１３１は、装置ＩＤ１３１ａそれぞれに対応付けられたユーザＩＤ１３１ｆを有している。ユーザＩＤ１３１ｆは、マッサージ装置１のユーザとして登録された者を示す識別子である。マッサージ装置１のユーザは、例えば、マッサージ装置１が設置された家庭における家族の一部又は全員である。１台のマッサージ装置１に対して、１又は複数のユーザを設定することができる。例えば、装置ＩＤ「１１１１」のマッサージ装置１には、ユーザＩＤ「Ｕ１１」「Ｕ１２」の２名のユーザが登録されている。
【００６３】
図１及び図３Ｂに示すよう記憶装置１３０は、複数のユーザを管理するためのユーザデータベース１３７を記憶している。ユーザデータベース１３７は、ユーザＩＤ１３７ａに対応付けられたユーザ特性１３７ｂを有している。ユーザ特性１３７ｂは、ユーザの年齢、性別、健康状態（身長、体重、血圧など）など、ユーザに関する情報を有している。ユーザ特性１３７ｂは、ユーザにマッチする広告データを決定するために用いられる。
【００６４】
＜２．３  マッサージ装置の構成＞
【００６５】
図４は、第１装置となるマッサージ装置１を示している。第２装置となるマッサージ装置１は、第１装置と同じものであってもよいし、第１装置の機能から第２装置に不必要な広告表示機能を省略したものであってもよい。なお、以下の説明で用いる方向の概念は、図１に示すマッサージ装置１に着座したユーザから見たときの方向の概念と一致するものとする。
【００６６】
マッサージ装置１は、マッサージ装置本体３０と、タブレット１０と、を備える。マッサージ装置本体３０は、主として、ユーザが着座する座部２と、座部２の後部にリクライニング可能に設けられたユーザが凭れる背もたれ部３と、座部２の前部に上下揺動可能に設けられたユーザの下肢を支持するフットレスト４と、背もたれ部３の上部前面に設けられたユーザの頭及び／又は首を支持する枕部５と、座部２の左右両側には肘掛け部６と、背もたれ部３の左右両側には側壁部７と、を有している。座部２、背もたれ部３、フットレスト４、枕部５、肘掛け部６、及び側壁部７は、ユーザの身体を支持する身体支持部として機能する。
【００６７】
身体支持部２〜７の各所には、ユーザの身体に対してマッサージを行うエアセル２０やバイブレータによるマッサージ部１５が設けられている。また、マッサージ装置本体３０は、背もたれ部３に後述する揉み動作及び／又は叩き動作を行うマッサージ部１５としてのマッサージユニット８と、マッサージ装置１の各動作を制御するコントローラ９と、を備える。
【００６８】
図５に示すように、背もたれ部３は、座部２の下方に設けられた第１アクチュエータ（図示省略）により、座部２に対して前後にリクライニング可能に構成されており、図４，５に示す起立姿勢から背凭れ面が略水平となるリクライニング姿勢（図５参照）まで変更可能となっている。なお、肘掛け部６は背もたれ部３のリクライニングに連動して後方へ移動し、背もたれ部３の起立に連動して前方へ移動するよう構成されている。フットレスト４は、座部２の下方に設けられた第２アクチュエータ（図示省略）により、座部２に対して上下に揺動可能に構成されており、図４，５に示す垂下姿勢から膝を伸ばした状態で下腿及び足部が支持される上昇姿勢（図５参照）まで変更可能となっている。
【００６９】
図４に示すように、肘掛け部６の上部にはタブレット１０が備えられている。タブレット１０は、コントローラ９と接続されている。タブレット１０は、マッサージ装置１の操作器として機能するともに、情報提示のための表示器として機能する。タブレット１０は、スピーカーを有しており、音声を出力することもできる。
【００７０】
ユーザは、タブレット１０を、マッサージ装置１に着座した状態で、タブレット１０を操作することができる。タブレット１０は、ユーザが目視で確認できる画面と、ユーザが画面上を指先操作するタッチパネルを有している。タブレット１０を操作することにより、リクライニングさせて背もたれ部３の姿勢を変更することができ、上下に揺動させてフットレスト４の姿勢を変更することができる。また、動作させるマッサージユニット８及び各マッサージ部２０を選択したり、マッサージユニット８，各マッサージ部２０の動作（手技又は強さ等）を変更したりすることもできる。タブレット１０に、マッサージコースを選択するためのコース選択画面を表示させて、タッチパネルに対するコース選択操作によって、ユーザはマッサージコースを選択することができる。
【００７１】
タブレット１０は、広告データをユーザに提示する装置としても機能する。広告データの画像は、タブレット１０の画面に表示され、広告データの音声は、タブレット１０のスピーカーから出力される。
【００７２】
図６に示すように、マッサージ装置１のコントローラ９は、プロセッサ(Processor)２１０及び記憶装置(Data Storage)２３０を備えるコンピュータによって構成されている。プロセッサ２１０は、記憶装置２３０に記憶されたコンピュータプログラム２６０に基づくオペレーションを実行する集積回路である。プロセッサ２１０は、例えば、ＣＰＵ（Central Processing Unit）である。記憶装置２３０は、データを記憶するハードウェアである。記憶装置２３０は、例えば、一次記憶装置（Primary storage）及び二次記憶装置（Secondary Storage）を有する。なお、コントローラ９は、ネットワーク４０を介して、サーバ１００と通信するための通信インターフェース（通信部）３１を有する。なお、ネットワーク４０は、例えば、インターネットである。
【００７３】
コンピュータプログラム２６０は、マッサージ装置１において行われる処理をプロセッサ２１０に実行させるプログラムコードによって構成されている。マッサージ装置１において行われる処理は、例えば、マッサージ部１５における動作を制御する処理及びリクライニングを制御する処理を含む。コンピュータプログラム２６０は、プロセッサ２１０によって実行されることで、マッサージ装置１のコントローラ９として、コンピュータを機能させる。以下では、コンピュータプログラム２６０を、単に「プログラム２６０」ということがある。
【００７４】
実施形態において、プロセッサ２１０がプログラム２６０に基づいて実行する処理は、スポンサー広告のユーザ提示に関連した処理を含む。広告のユーザ提示に関連した処理は、例えば、モード判定処理２１１，広告要求処理２１３，マッサージ動作処理２１５，２１７を含む。これらの処理２１１，２１３，２１５，２１７については後述する。
【００７５】
記憶装置２３０は、装置ＩＤ２３１を記憶している。装置ＩＤ２３１は、個々のマッサージ装置１，１にユニークに付与された識別子である。記憶装置２３０は、モード情報２３３を記憶している。マッサージ装置１が、広告表示モードであるか、広告無しモードであるかを識別するための情報である。さらに、記憶装置２３０は、サーバ１００から送信された１又は複数の広告データ２３５を記憶する。
【００７６】
図７は、第１装置であるマッサージ装置１のモードを判定する処理１１１，２１１を示している。モードを判定する処理は、モード確認のため、定期的に実行される。モードは、前述の広告表示モードと広告無しモードとを含む。広告表示モードは、ユーザがマッサージ装置１を使用する際に、広告が表示されるモードである。広告無しモードは、ユーザがマッサージ装置１を使用する際に、広告が表示されないモードである。いずれのモードであるかは、モード情報２３３として記憶される。
【００７７】
ステップＳ１１１において、マッサージ装置１のコントローラ９は、モード判定処理２１１において、サーバ１００へ、モード問い合わせを送信する。問い合わせには、マッサージ装置１の装置ＩＤ２３１（図７では、「ＩＤ＝１１１１」）が含まれる。コントローラ９は、定期的又は必要に応じて問い合わせを実行する。この問い合わせは、第２装置が行ってもよい。
【００７８】
問い合わせを受けたサーバ１００は、モード判定処理１１１を実行する。サーバ１００は、装置管理データベース１３１を参照し、問い合わせ元のマッサージ装置が第１装置であるか否かを判断する。装置管理データベース１３１の識別データ１３１ｃにおいて、装置ＩＤ＝１１１１のマッサージ装置は、スポンサー「有」として登録されているため、第１装置であると識別される（ステップＳ１２１においてＹＥＳ）。さらに、サーバ１００は、問い合わせ元のマッサージ装置が広告期間内の状態にあるか否かを判断する。問い合わせ時点が、装置管理データベース１３１の広告期間データ１３１ｅが示す広告期間の末日よりも前であれば、広告期間内であると判断される（ステップＳ１２３においてＹＥＳ）。広告期間内であれば、サーバ１００は、モード情報＝「広告表示モード」に設定し（ステップＳ１２５）、そのモード情報を、問い合わせ元のマッサージ装置１へ送信する（ステップＳ１２９）。
【００７９】
問い合わせ元のマッサージ装置が第１装置でないか（ステップＳ１２１においてＮＯ）、第１装置であっても広告期間外であれば（ステップＳ１２３においてＮＯ）、サーバ１００は、モード情報＝「広告無しモード」に設定し（ステップＳ１２７）、そのモード情報を、問い合わせ元のマッサージ装置１へ送信する（ステップＳ１２９）。
【００８０】
コントローラ９は、サーバ１００から送信されたモード情報を受信し（ステップＳ１１３）、受信したモード情報を、記憶装置２３０にモード情報２３３として保存する（ステップＳ１１５）。コントローラ９は、モード情報２３３を参照することで、モードを識別することができる。なお、第１装置のコントローラ９は、広告期間データ１３１ｅをサーバ１００から受信して、その広告期間データ１３１ｅに基づいて、自ら、モードを判定してもよい。
【００８１】
図８は、サーバ１００による広告データの定期配信処理１１３を示している。定期配信処理１１３によって広告データは、マッサージ装置１に事前配信されることになる。すなわち、マッサージ装置１は、広告表示に先立って広告データを取得しているため、マッサージ装置１における広告表示を迅速に行うことができる。
【００８２】
定期配信処理１１３では、定期配信のタイミングであるか否かが判断される（ステップＳ２２１）。定期配信のタイミングは、例えば、毎夜である。定期配信のタイミングになると、配信される広告データが決定される（ステップＳ２２３）。
【００８３】
実施形態において、広告データが配信されるマッサージ装置１（対象マッサージ装置；対象装置）は、広告期間内の状態にある第１装置である。スポンサーが付いていない第２装置には、広告データが配信されない。第１装置であっても、広告期間外の状態にある第１装置にも、広告データは配信されない。
【００８４】
サーバ１００は、識別データ１３１ｃ及び広告期間データ１３１ｅを参照することで、装置管理データベース１３１で管理されている全装置の中から、広告期間内の対象マッサージ装置（対象装置）を識別する。
【００８５】
さらに、サーバ１００は、ステップＳ２２３において、対象マッサージ装置に配信される広告データを、対象マッサージ装置毎に決定する。図２Ａに示すように、各装置にスポンサーデータ１３１ｄが対応付けられている場合、対象マッサージ装置に対応付けられたスポンサーデータ１３１ｄを参照することで、広告データを決定できる。例えば、装置ＩＤ「２１１１」のマッサージ装置の場合、スポンサーデータ１３１ｄには、グループＧ２のＩＤが登録されている。図２Ｂに示すように、グループＧ２には、Ｅ社、Ｆ社、Ｇ社などが含まれている。Ｅ社、Ｆ社、Ｇ社の広告データは、図３Ａに示すスポンサーデータベース１３５に登録されている。したがって、サーバ１００は、スポンサーデータベース１３５に登録されている広告データのうち、Ｅ社、Ｆ社、Ｇ社などの広告データ１３５ｂ、１３５ｄを、装置ＩＤ「２１１１」のマッサージ装置へ配信される広告データとして決定する。
【００８６】
そして、サーバ１００は、ステップＳ２２５において、決定された広告データを、対象マッサージ装置１へ送信する。対象マッサージ装置１は、受信した広告データを、記憶装置２３０に広告データ２３５として保存する（ステップＳ２１１）。
【００８７】
前述のステップＳ２２３において、サーバ１００は、マッサージ装置１に対応付けられたユーザの特性に応じて、広告を決定してもよい。例えば、装置ＩＤ「１１１１」のマッサージ装置に対応付けて登録されたユーザＵ１１，Ｕ１２の特性（年齢、性別など）が、図３Ｂに示すように、ＵＣ１１，ＵＣ１２である場合、その特性ＵＣ１１，ＵＣ１２にマッチする特性１３５ｃ，１３５ｅを有する広告データを、装置ＩＤ「１１１１」のマッサージ装置へ配信される広告データとして決定することができる（この場合、各装置ＩＤ１３１ａには、スポンサーデータ１３１ｄが対応付けられていなくてもよい。）
【００８８】
より具体的には、特性ＵＣ１１が、年齢：５０歳、性別：男性を示し、特性ＵＣ１２が、年齢：４０歳、性別：女性を示しているものとする。また、スポンサーグループＧ１は、５０歳代男性をターゲットとしたグループであり、グループＧ２は、４０歳代女性をターゲットとしてグループであるとする。この場合、サーバ１００は、ユーザ特性ＵＣ１１にマッチするスポンサーグループとして、グループＧ１を選択し、ユーザ特性ＵＣ１２にマッチするスポンサーグループとして、グループＧ２を選択する。そして、サーバ１００は、グループＧ１に含まれているＡ社、Ｂ社、Ｃ社などの広告データ１３５ｂ、１３５ｄを、装置ＩＤ「１１１１」のマッサージ装置においてユーザＩＤ＝Ｕ１１であるユーザに提示される広告データとして決定する。また、サーバ１００は、グループＧ２に含まれているＥ社、Ｆ社、Ｇ社などの広告データ１３５ｂ、１３５ｄを、装置ＩＤ「１１１１」のマッサージ装置においてユーザＩＤ＝Ｕ１２であるユーザに提示される広告データとして決定する。
【００８９】
１台のマッサージ装置１に対して複数のユーザが登録されている場合、広告データの配信においては、複数のユーザ分の広告データが、１台のマッサージ装置１に送信される。したがって、１台のマッサージ装置が複数ユーザによって共用されても、各ユーザに適した広告データを提示できる。また、各広告データには、その広告データがどのユーザに提示されるべきものであるかを識別するためのユーザ識別データが付加される。マッサージ装置１では、複数ユーザ分の広告データが配信されても、広告データに付加されたユーザ識別データを参照することで、各ユーザに適した広告データを提示できる。
【００９０】
なお、ユーザの特性に応じて広告データを決定する処理は、スポンサーデータ１３１ｄに基づいて決定された複数の広告データの中から、ユーザに適した広告データを選択するために行われてもよい。さらに、ユーザの特性に応じて広告データを決定する処理は、スポンサーグループとは無関係に、スポンサーデータベースにおいて、ユーザ特性１３７ｂにマッチする広告データ特性１３５ｃ，１３５ｅを有する広告データ１３５ｂ、１３５ｄを選択する処理であってもよい。ユーザ特性１３７ｂにマッチする広告データ特性１３５ｃ，１３５ｅを有する広告データ１３５ｂ、１３５ｄを選択する処理には、例えば、リコメンデーションエンジンを用いることができる。
【００９１】
図９は、マッサージ装置１のコントローラ９による広告要求処理２１３及びサーバ１００による広告データの個別配信処理１１５を示している。サーバ１００が定期配信機能を有していないか、サーバ１００が定期配信機能を有していても、マッサージ装置１が表示すべき広告データを有していない場合、個別配信処理１１５により、広告データが、マッサージ装置１に提供される。
【００９２】
広告表示モードであるマッサージ装置１のコントローラ９は、広告要求処理２１３において、広告送信要求をサーバ１００へ送信する（ステップＳ３１１）。広告送信要求は、例えば、マッサージ装置１において広告を表示する直前に実行される。広告送信要求は、マッサージ装置１の電源の投入直後など、他のタイミングで実行されてもよい。広告送信要求には、要求したマッサージ装置の装置ＩＤ（図９では、「ＩＤ＝１１１１」）が含まれる。
【００９３】
広告送信要求を受けたサーバ１００は、個別配信処理１１５を実行する。サーバ１００は、広告送信要求の要求元が、第１装置であって、広告期間内である対象マッサージ装置であるか否かを判断する（ステップＳ３２１）。すなわち、サーバ１００は、装置管理データベース１３１を参照し、要求元のマッサージ装置が第１装置であるか否かを判断する。装置管理データベース１３１の識別データ１３１ｃにおいて、装置ＩＤ＝１１１１のマッサージ装置は、スポンサー「有」として登録されているため、第１装置であると識別される。さらに、サーバ１００は、要求元のマッサージ装置が広告期間内の状態にあるか否かを判断する。
【００９４】
要求時点が広告期間内であれば（ステップＳ３２１においてＹＥＳ）、サーバ１００は、要求元へ配信される広告データを決定する（ステップＳ３２３）。配信される広告データの決定方法は、前述した定期配信処理１１３と同様の方法を採用できる。決定された広告データは、要求元へ送信される（ステップＳ３２５）。要求元の対象マッサージ装置１は、受信した広告データを、記憶装置２３０に広告データ２３５として保存する（ステップＳ３１３）。
【００９５】
なお、ステップＳ３２１において、広告送信要求の要求元が、第１装置ではないか、又は広告期間外である場合には、広告データは配信されず、エラーが要求元へ送信される（ステップＳ３２７）。
【００９６】
図１０は、第２装置、又は広告無しモードの第１装置において実行されるマッサージ動作処理２１７を示している。処理２１７が開始されると、タブレット１０の画面には、ユーザ選択（又はサインイン）のための初期画面が表示される（ステップＳ４１１）。マッサージ装置１を使用するユーザは、ユーザ選択において、自分を選択する操作を行う。このユーザ選択（又はサインイン）によって、コントローラ９は、ユーザが誰であるのかを認識することができる。
【００９７】
ステップＳ４１２において、タブレット１０の画面には、マッサージメニュー画面が表示される。メニュー画面には、マッサージ装置１において実行可能なマッサージコース又はマッサージ動作等が表示される。
【００９８】
あるマッサージコースが選択される操作がユーザによってタブレット１０に対してなされると（ステップＳ４１３においてＹＥＳ）、コントローラ９は、選択されたマッサージコースの実行を開始する（ステップＳ４１４）。マッサージコースでは、施療に先立って、背もたれ部３が倒されてリクライニング姿勢になり、ユーザの肩位置が検出される。肩位置の検出は、マッサージユニット８を、背もたれ部３においてユーザの身長方向に動かすことで行われる。肩位置の検出により、マッサージコースにおける施療における施療位置（ツボ）がユーザに応じて調整される。肩位置の検出後、マッサージコースにおける施療が開始される。
【００９９】
また、マッサージコースが選択される操作がユーザによってなされると、コントローラ９は、タブレット１０に表示される画面が、メニュー画面から、コース用画面に切り替われる（ステップＳ４１４）。コース用画面は、肩位置検出画面と、施療中画面と、を有する。肩位置検出画面は、肩位置検出中及び肩位置検出後におけるユーザによる肩位置の調整操作を受け付ける画面である。施療中画面は、肩位置検出画面の後に表示される。施療中画面は、マッサージ部１５の動作中に表示され、実行されているマッサージ動作を解説等するための画面である。施療は、所定の時間、例えば、１５分間継続する。
【０１００】
施療が終了すると（ステップＳ４１５）、コントローラ９は、背もたれ部３を起こし、起立姿勢に復帰させる（ステップＳ４１６）。以上により、マッサージコースが終了する。マッサージコースが終了すると、コントローラ９は、タブレット１０に表示される画面を、メニュー画面に戻す。
【０１０１】
図１１及び図１２は、広告表示モードの第１装置において実行されるマッサージ動作処理２１５を示している。処理２１５は、処理２１７に、広告表示のための処理を付加したものである。処理２１５において、広告は、マッサージコースの開始付近の時点と終了付近の時点において表示される。
【０１０２】
処理２１５が開始されると、タブレット１０の画面には、ユーザ選択（又はサインイン）のための初期画面が表示される（ステップＳ５１１）。ユーザ選択操作が行われると、ステップＳ５１２において、タブレット１０の画面には、マッサージメニュー画面が表示される。
【０１０３】
あるマッサージコースが選択される操作がユーザによってタブレット１０に対してなされると（ステップＳ５１３においてＹＥＳ）、コントローラ９は、選択されたマッサージコースの実行に先立って、タブレット１０において、広告データの表示を開始する。マッサージ装置１の表示器であるタブレット１０は、マッサージ装置１に着座（乗っている）ユーザの注意を引き易いため、高い広告効果を期待できる。また、マッサージ装置１に着座（乗っている）ユーザは、その場から移動してしまう可能性も低いため、広告を確実にユーザに提示することができる。
【０１０４】
広告データの表示のため、コントローラ９は、まず、ユーザに提示される広告データを選択する（ステップＳ５１４）。コントローラ９は、記憶装置２３０に保存された複数の広告データ２３５の中から、ユーザに提示すべき広告データを選択する。広告データの選択は、ランダムな選択であってもよいし、マッサージ装置１を現に使用しているユーザ又はユーザの特性等に基づく、ユーザに適した広告の選択であってもよい。なお、広告データの選択は、ステップＳ５１１からステップＳ５１３の間に行われてもよい。
【０１０５】
選択された広告データは、マッサージコースの実行（背もたれ部３を倒す前）に先立って、タブレット１０の画面において、表示が開始される（ステップＳ５１５）。広告データが、音声データを含んでいれば、その音声データは、タブレット１０のスピーカーから出力される。広告データの表示時間は、例えば、１５秒である。広告表示の開始のため、タブレット１０の画面は、メニュー画面から広告表示画面に切り替わる。なお、広告データは、広告中の商品・サービスを購入するためのＷｅｂサイトへ遷移するためのＵＲＬを含むことができ、ユーザ操作により、タブレット１０に購入サイトへ遷移できるようにしてもよい。
【０１０６】
広告データの最初の一部（例えば、最初の５秒分）は、コース選択がされてからマッサージコースの実行開始までの間に表示される。コントローラ９は、広告表示が開始してから（例えば、広告表示開始から５秒後に）、マッサージコースの実行を開始する（ステップＳ５１７）。すなわち、広告データの一部は、マッサージ装置１における所定の動作であるマッサージコース中において、ユーザに対して提示される。また、広告データの他の一部は、マッサージコース実行前（すなわち、所定の動作中でないときに）、ユーザに対して提示される。マッサージが動作していないときに、広告提示をすることで、広告効果を高めることができる。
【０１０７】
マッサージコースでは、施療に先立って、背もたれ部３が倒されてリクライニング姿勢になり、ユーザの肩位置が検出される。肩位置の検出後、マッサージコースにおける施療が開始される。
【０１０８】
また、マッサージコースの実行が開始されても、タブレット１０の画面には、広告データの表示が維持される。広告データの表示中は、コース用画面は表示されていなくてもよいが、広告データの表示中において、コース用画面を表示してもよい。
【０１０９】
広告データは、マッサージコースの実行が開始された後において、所定時間（例えば、１０秒）、表示される。すなわち、広告データは、マッサージコースの実行初期において表示されることになる。マッサージコースの実行初期は、背もたれ部が倒れ、肩位置検出が行われ、施療は行われない。マッサージコースの開始から肩位置検出完了までは、通常、数十秒を要するため、広告データの表示は、肩位置検出が完了する前（施療が開始する前）に終了することになる（ステップＳ５１８）。施療開始前に広告表示を終了させることで、施療中に広告表示がされることを避けることができる。
【０１１０】
広告データの表示が終了すると（ステップＳ５１８）、コントローラ９は、タブレット１０の画面を、広告表示の画面から、コース用画面に切り替える。前述のように、コース用画面には、肩位置検出画面と、施療中画面と、をがある。また、広告データの表示が終了すると、コントローラ９は、表示された広告データを示す情報を、表示報告として、サーバ１００へ送信する（ステップＳ５１９）。表示報告は、スポンサーへの表示実績の報告に用いられる。
【０１１１】
広告データの表示終了後においても、マッサージコースの実行が継続する。すなわち、肩位置検出の終了後、マッサージ部１５による施療が開始する。
【０１１２】
施療が終了すると（ステップＳ６１１）、コントローラ９は、背もたれ部３を起こす前に、マッサージコースにおける施療（所定の動作）の終了の確認操作を求める画面を、タブレット１０に表示させる。確認操作の求めは、タブレット１０のスピーカーからも音声又は報知音によってなされる。施療によってリラックスしたユーザは、眠っていることがあるため、音声等によって、ユーザを眠りから目覚めさせることができる。ユーザによる確認操作（例えば、タブレット１０のタッチパネルへのタッチ）がなされると（ステップＳ６１２）、コントローラ９は、広告データの表示を行う。確認操作後に広告表示することで、目覚めたユーザに対して確実に広告を提示できる。
【０１１３】
広告データの表示のため、コントローラ９は、まず、ユーザに提示される広告データを選択する（ステップＳ６１３）。コントローラ９は、記憶装置２３０に保存された複数の広告データ２３５の中から、ユーザに提示すべき広告データを選択する。広告データの選択は、ランダムな選択であってもよいし、マッサージ装置１を現に使用しているユーザ又はユーザの特性等に基づく、ユーザに適した広告の選択であってもよい。なお、広告データの選択は、確認操作（ステップＳ６１２）の前に行われてもよい。
【０１１４】
また、選択される広告データは、ステップＳ５１４で選択された広告データ（マッサージコースの開始付近で表示される広告データ）に対して、内容的に続編となる広告データであってもよい。マッサージコースの前後付近で表示される両広告データに関連性を持たせることで、広告効果を高めることができる。
【０１１５】
複数の広告データの関連性は、例えば、ステップＳ５１４で選択された広告データが、商品又はサービスを宣伝する画面であり、ステップＳ６１３で選択された広告データは、ステップＳ５１４で選択された広告データにより宣伝された商品又はサービスの購入画面の表示又は購入Ｗｅｂサイトへ遷移するための画面である、という関係であってもよい。ユーザは、マッサージコースの開始時点で宣伝された商品等に興味を持った場合、マッサージコース終了後に購入操作を行うことができる。
【０１１６】
選択された広告データは、タブレット１０の画面において、表示が開始される（ステップＳ６１４）。広告の表示開始とともに、コントローラ９は、背もたれ部３を起こして、起立姿勢にする処理を実行する（ステップＳ６１５）。広告データの表示時間は、例えば、１５秒である。背もたれ部３が起立姿勢になるまでの時間は、数秒程度であるため、広告データは、背もたれ部３が起立動作をしている間（マッサージコースの実行中）において表示されるとともに、起立姿勢になってマッサージコースが実行終了した後にも表示される。
【０１１７】
広告データの表示が終了すると（ステップＳ６１７）、コントローラ９は、表示された広告データを示す情報を、表示報告として、サーバ１００へ送信する（ステップＳ６１８）。そして、コントローラ９は、タブレット１０の画面を、広告表示の画面から、メニュー画面に戻す（ステップＳ５１２）。
【０１１８】
以上のように本実施形態によれば、ユーザは、マッサージコースの開始時と終了時の２回（合計で例えば３０秒程度）の広告を視聴するという条件を受け入れるだけで、高価なマッサージ装置を安価に購入することができる。
【０１１９】
ステップＳ６１３で選択される広告データは、質問に対するユーザの回答に基づいて決定された商品の内容を含んでもよい。質問は、例えば、ユーザに対するアンケートや問診などであって、体調などの短い間隔で変化しやすいユーザの状態に関するものである。このような商品としては、例えば、漢方薬やサプリメントなどの、体調等の短い間隔で変化しやすいユーザの状態に影響する商品が想定される。
【０１２０】
この場合、ステップＳ５１４で選択された広告データ（マッサージコースの開始付近で表示される広告データ）は、商品又はサービスを決定するための質問を表示させ、かつ、その回答の入力を受け付ける画面を表示させるものである。
【０１２１】
一例として、ステップＳ５１４で選択された広告データが複数種類の漢方薬（漢方薬ＭＤ１，ＭＤ２，ＭＤ３）の内容を含むものとする。この場合、図１３に示すように、ステップＳ５１５でコントローラ９がタブレット１０において表示を開始する広告表示画面１０１には、漢方薬ＭＤ１，ＭＤ２，ＭＤ３のうちのユーザ提示する漢方薬を決定するためのアンケートや問診などのユーザに対する質問が含まれる。図１３の例では、質問１〜３の３つの質問１０２，１０４，１０６が表示され、それぞれの回答１０３，１０５，１０７の選択が可能になっている。なお、ステップＳ５１５で表示される広告に、漢方薬ＭＤ１，ＭＤ２，ＭＤ３のそれぞれの内容も含まれていてもよい。
【０１２２】
ステップＳ５１５でコントローラ９は、さらに、広告表示画面１０１に含まれる質問１０２，１０４，１０６に回答するためのユーザ操作を受け付ける。例えば、図１３の広告表示画面１０１に含まれる回答１０３，１０５，１０７それぞれについて１つずつ回答を選択するタッチ操作を受け付けてもよい。
【０１２３】
この場合、図１４に示すように、広告データの特性１３５ｃ，１３５ｅは、広告データに含まれる複数の商品（この例では漢方薬ＭＤ１，ＭＤ２，ＭＤ３）１３８ａそれぞれについて、質問１〜３それぞれの「Ａ」又は「Ｂ」の回答１３８ｂ，及び、「はい」又は「いいえ」の回答１３８ｃ，１３８ｄを含む。ステップＳ６１３でコントローラ９は、ステップＳ５１４で選択された広告データに含まれる複数の商品（漢方薬ＭＤ１、ＭＤ２，ＭＤ３）の中から、ステップＳ５１５で受け付けた質問に対するユーザの回答に基づいて、１つ又は複数の商品を決定する。ステップＳ６１３で選択される広告データは、決定された商品の内容を含む。
【０１２４】
以上のように本実施形態によれば、ユーザは、さらに、自身の体調等の短い間隔で変化しやすい状態に適した商品を知ることができる。なお、先の例では、ステップＳ６１３で選択される広告データ（マッサージコースの終了後で表示される広告データ）は、オンラインショッピングのための情報を含むものであってもよいとされている。この場合、オンラインショッピングのための情報は、質問に対するユーザの回答に基づいて決定された商品の内容を含む。商品の内容がオンラインショッピングのための情報に含まれることで、ユーザは適した商品を簡単に購入できる。
【０１２５】
なお、商品は、質問に対するユーザの回答に替えて、又は、加えて、ユーザ情報に基づいて決定されてもよい。ユーザ情報は、例えば、ユーザデータベース１３７に含まれるユーザの年齢、性別、健康状態（身長、体重、血圧など）などのユーザ特性１３７ｂを含む。ユーザ情報は、その他、ユーザに対して施術されたマッサージコースの情報やマッサージ中に得られたユーザに関する情報（凝っている箇所、等）などの情報を含んでもよい。
【０１２６】
この場合、図１４に示すように、広告データの特性１３５ｃ，１３５ｅは、さらに、複数の商品（この例では漢方薬ＭＤ１，ＭＤ２，ＭＤ３）１３８ａそれぞれについて、広告のターゲットとなるユーザの特性１３８ｅを含む。広告のターゲットとなるユーザの特性１３８ｅは、例えば、どのような年齢層をターゲットにしているかを示す情報である。ステップＳ６１３でコントローラ９は、さらに、ユーザＩＤ１３７ａに対応付けられたユーザ特性１３７ｂと広告のターゲットとなるユーザの特性１３８ｅとを比較して、漢方薬ＭＤ１，ＭＤ２，ＭＤ３のうちのユーザにマッチする漢方薬の広告データを決定する。これにより、よりユーザに適した商品の広告を表示することができる。
【０１２７】
広告データの特性１３５ｃ，１３５ｅは、さらに、複数の商品１３８ａそれぞれについて、広告のターゲットとなるユーザの回答１３８ｂ，１３８ｃ，１３８ｄを含んでもよい。この場合、ステップＳ６１３でコントローラ９は、広告表示画面１０１でのユーザの回答と広告のターゲットとなる回答１３８ｂ，１３８ｃ，１３８ｄとの比較をさらに行って、漢方薬ＭＤ１，ＭＤ２，ＭＤ３のうちのユーザにマッチする漢方薬の広告データを決定する。これにより、よりユーザに適した商品の広告を表示することができる。
【０１２８】
＜３．付記＞
本発明は、上記実施形態に限定されるものではなく、様々な変形が可能である。
【符号の説明】
【０１２９】
１  マッサージ装置
２  座部
３  背もたれ部
４  フットレスト
５  枕部
６  肘掛け部
７  側壁部
８  マッサージユニット
９  コントローラ
１０  タブレット（表示器；操作器）
１５  マッサージ部（動作部；使用者に対する物理的作用を施す動作部）
２０  エアセル
３０  マッサージ装置本体
３１  通信インターフェース（通信部）
４０  ネットワーク
１００  管理サーバ（情報処理装置）
１０１  画面
１０２  質問
１０３  回答
１０４  質問
１０５  回答
１０６  質問
１０７  回答
１１０  プロセッサ
１１１  モード判定処理
１１３  定期配信処理
１１５  個別配信処理
１３０  記憶装置
１３１  装置管理データベース
１３１ａ  装置ＩＤ
１３１ｂ  機種コード
１３１ｃ  スポンサー有無識別データ
１３１ｄ  スポンサーデータ
１３１ｅ  広告期間データ
１３１ｆ  ユーザＩＤ
１３３  スポンサーグループデータベース
１３３ａ  スポンサーグループＩＤ
１３３ｂ  スポンサー
１３５  スポンサーデータベース
１３５ａ  スポンサー
１３５ｂ  第１広告データ
１３５ｃ  第１広告データ特性
１３５ｄ  第２広告データ
１３５ｅ  第２広告データ特性
１３７  ユーザデータベース
１３７ａ  ユーザＩＤ
１３７ｂ  ユーザ特性
１３８ａ  商品
１３８ｂ  回答
１３８ｃ  回答
１３８ｄ  回答
１５０  通信インターフェース（通信部）
１６０  コンピュータプログラム
２１０  プロセッサ
２１１  モード判定処理
２１３  広告要求処理
２１５  マッサージ動作処理
２１７  マッサージ動作処理
２３０  記憶装置
２３１  装置ＩＤ
２３３  モード情報
２３５  広告データ
２６０  コンピュータプログラム
ＭＤ１  漢方薬
ＭＤ２  漢方薬
ＭＤ３  漢方薬
【図１】
2020017250.tif 000003
【図２】
2020017250.tif 000004
【図３】
2020017250.tif 000005
【図４】
2020017250.tif 000006
【図５】
2020017250.tif 000007
【図６】
2020017250.tif 000008
【図７】
2020017250.tif 000009
【図８】
2020017250.tif 000010
【図９】
2020017250.tif 000011
【図１０】
2020017250.tif 000012
【図１１】
2020017250.tif 000013
【図１２】
2020017250.tif 000014
【図１３】
2020017250.tif 000015
【図１４】
2020017250.tif 000016